(57)【要約】【課題】接触面に対するブラッシング性能を向上することができる回転ブラシを提供する。【解決手段】回転ブラシ１５は、円板状の基布１８と、基布１８における一方側の面に設けられ、複数のブラシ糸２６を有するブラシ部１９とを備え、ブラシ部１９を接触面に接触させた状態で接触面と直交する方向に延びる軸線を中心に回転させて使用される。基布１８における一方側の面には、複数のブラシ部１９が互いに間隔を置いて配置されている。【選択図】図３
2019118707.tif 000002
【特許請求の範囲】
【請求項１】
板状の基材と、
前記基材における一方側の面に設けられ、複数のブラシ糸を有するブラシ部と、
を備え、
前記ブラシ部を接触面に接触させた状態で前記接触面と直交する方向に延びる軸線を中心に回転させて使用される回転ブラシであって、
前記基材における一方側の面には、複数の前記ブラシ部が互いに間隔を置いて配置されていることを特徴とする回転ブラシ。
【請求項２】
前記基材における一方側の面には、前記ブラシ部が存在しない非ブラシ部が格子状に形成されていることを特徴とする請求項１に記載の回転ブラシ。
【請求項３】
前記基材は、タテ糸とヨコ糸とを織ってなる基布であり、
前記ブラシ糸は、前記基布に織り込まれて前記基布上に立設されたパイルであり、
複数の前記ブラシ部は、前記タテ糸の延びる方向及び前記ヨコ糸の延びる方向に間隔を置いて並列されていることを特徴とする請求項１または請求項２に記載の回転ブラシ。
【請求項４】
前記基布における前記ブラシ部側とは反対側の面には、コーティング層が形成されていることを特徴とする請求項３に記載の回転ブラシ。
【請求項５】
前記基布における前記ブラシ部側とは反対側の面と、前記基布における周縁とを覆う補強部を備えることを特徴とする請求項３または請求項４に記載の回転ブラシ。
【請求項６】
前記ブラシ糸は、太さが０．１ｍｍ以上のポリアミド製の糸によって構成されていることを特徴とする請求項１〜請求項５のうちいずれか一項に記載の回転ブラシ。
【発明の詳細な説明】
【技術分野】
【０００１】
本発明は、回転させながら接触面に接触させて使用される回転ブラシに関する。
【背景技術】
【０００２】
従来、この種の回転ブラシとして例えば特許文献１に示す清掃ブラシに備えられたブラシが知られている。こうしたブラシは、円板の一方側の面に複数のブラシ毛が植設された構成になっており、ブラシ毛を床面に接触させた状態で周方向に回転させることで、床面の清掃を行うようになっている。
【先行技術文献】
【特許文献】
【０００３】
【特許文献１】特開平８−１０３３２７号公報
【発明の概要】
【発明が解決しようとする課題】
【０００４】
ところで、上述のようなブラシでは、円板の一方側の面全体にブラシ毛が隈無く植設された構成であるため、ブラシ毛の先端のみでしか床面がブラッシングされない。このため、床面に対するブラッシング性能を向上する上では改善の余地を残すものとなっている。
【０００５】
本発明は、このような従来技術に存在する問題点に着目してなされた。その目的は、接触面に対するブラッシング性能を向上することができる回転ブラシを提供することにある。
【課題を解決するための手段】
【０００６】
以下、上記課題を解決するための手段及びその作用効果について記載する。
上記課題を解決する回転ブラシは、板状の基材と、前記基材における一方側の面に設けられ、複数のブラシ糸を有するブラシ部と、を備え、前記ブラシ部を接触面に接触させた状態で前記接触面と直交する方向に延びる軸線を中心に回転させて使用される回転ブラシであって、前記基材における一方側の面には、複数の前記ブラシ部が互いに間隔を置いて配置されていることを要旨とする。
【０００７】
この構成によれば、ブラシ部同士の間に隙間が形成されるので、ブラシ部のエッジが多数形成される。このため、接触面に対するブラッシング性能を向上することができる。
上記回転ブラシにおいて、前記基材における一方側の面には、前記ブラシ部が存在しない非ブラシ部が格子状に形成されていることが好ましい。
【０００８】
この構成によれば、例えば接触面に水を撒きながら接触面のブラッシングを行った場合に水が非ブラシ部に沿って流れるので、ブラシ部の水捌けをよくすることができる。
上記回転ブラシにおいて、前記基材は、タテ糸とヨコ糸とを織ってなる基布であり、前記ブラシ糸は、前記基布に織り込まれて前記基布上に立設されたパイルであり、複数の前記ブラシ部は、前記タテ糸の延びる方向及び前記ヨコ糸の延びる方向に間隔を置いて並列されていることが好ましい。
【０００９】
この構成によれば、ブラシ糸が基布上に立設されたパイルであるため、パイルの織り込み方や種類を変更することで、ブラシ部の大きさや性状などを容易に変更できる。
上記回転ブラシにおいて、前記基布における前記ブラシ部側とは反対側の面には、コーティング層が形成されていることが好ましい。
【００１０】
この構成によれば、基布からブラシ糸が抜け落ちることを抑制できる。
上記回転ブラシは、前記基布における前記ブラシ部側とは反対側の面と、前記基布における周縁とを覆う補強部を備えることが好ましい。
【００１１】
この構成によれば、補強部によって基布を補強しつつ基布が周縁から解れることを抑制できる。
上記回転ブラシにおいて、前記ブラシ糸は、太さが０．１ｍｍ以上のポリアミド製の糸によって構成されていることが好ましい。
【００１２】
この構成によれば、接触面に対するブラッシング性能をより一層向上することができる。
【発明の効果】
【００１３】
本発明によれば、接触面に対するブラッシング性能を向上することができる。
【図面の簡単な説明】
【００１４】
【図１】一実施形態のクリーナーを示す正面模式図。
【図２】同クリーナーのヘッドを示す底面模式図。
【図３】図１の要部を示す断面模式拡大図。
【図４】回転ブラシの一部を示す平面模式図。
【図５】回転ブラシの要部を示す断面模式図。
【図６】回転ブラシの要部を形成する過程を示す断面模式図。
【図７】変更例の回転ブラシの一部を示す平面模式図。
【発明を実施するための形態】
【００１５】
以下、電動式のクリーナーに備えられる回転ブラシの一実施形態を図面に基づいて説明する。
図１及び図２に示すように、電動式のクリーナー１１は、棒状のハンドル１２と、ハンドル１２が回動自在に連結された略矩形板状をなすヘッド１３と、ヘッド１３の底面に回転自在に設けられた一対の円形の回転板１４と、一対の回転板１４の外面に着脱自在に取り付けられる一対の円形の回転ブラシ１５とを備えている。ヘッド１３には、一対の回転板１４を互いに異なる方向に回転駆動する駆動機構１６が内蔵されている。ハンドル１２には、駆動機構１６のオンオフを行うための電源スイッチ１７が設けられている。
【００１６】
図２及び図３に示すように、回転ブラシ１５は、円板状の基材の一例としての基布１８と、基布１８における一方側の面に設けられた複数のブラシ部１９と、基布１８におけるブラシ部１９側とは反対側の面と基布１８における周縁とを覆う円板状の補強部２０と、を備えている。補強部２０は、例えば硬質の合成樹脂によって構成される。補強部２０の一方側の面には円形の凹部２１が形成され、補強部２０の他方側の面は面ファスナ２２によって回転板１４の外面に着脱自在に取り付けられている。
【００１７】
補強部２０の凹部２１内には基布１８が収容され、基布１８におけるブラシ部１９側とは反対側の面は両面粘着テープ２３によって凹部２１内の底面に固定されている。基布１８におけるブラシ部１９側の面は、凹部２１の開口とほぼ面一になっている。基布１８の周縁は、凹部２１内の側面に接触している。
【００１８】
図４及び図５に示すように、基布１８は、例えばポリエステル製のタテ糸２４とヨコ糸２５とを織ることによって形成される。この場合、基布１８を構成するタテ糸２４及びヨコ糸２５の材質は、ポリエステルに限らず、ポリエチレン、ポリアミド、ポリプロピレン、アクリル樹脂、ウレタン樹脂などの合成樹脂から適宜選択できる。
【００１９】
ブラシ部１９は、基布１８に織り込まれて基布１８上に立設された略Ｕ字状をなすパイルによってなる複数のブラシ糸２６によって構成されている。すなわち、基布１８には、複数のブラシ糸２６がパイル織りされている。基布１８におけるブラシ部１９側とは反対側の面には、複数のブラシ糸２６の根元と基布１８とをそれぞれ強固に接合するべく合成樹脂製のコーティング層２７が形成されている。本実施形態のブラシ糸２６は、太さが０．１ｍｍ以上のポリアミド製の糸によって構成されている。ポリアミド製の糸は、耐摩耗性及び復元性に優れているため、本用途に適している。
【００２０】
複数のブラシ部１９は、基布１８上において互いに間隔を置いて配置されている。すなわち、複数のブラシ部１９は、タテ糸２４の延びる方向である第１方向Ｘ及びヨコ糸２５の延びる方向である第２方向Ｙにおいてそれぞれ等間隔となるように並列されている。複数のブラシ部１９は、それぞれ平面視で略正方形状をなすように基布１８上の領域を占めている。したがって、基布１８におけるブラシ部１９側の面には、ブラシ部１９が存在しない領域である非ブラシ部２８が格子状に形成される。つまり、基布１８における一方側の面全体は、ブラシ部１９と非ブラシ部２８とによって占められている。
【００２１】
次に、基布１８にブラシ部１９を形成する方法について説明する。
図４及び図６に示すように、基布１８にブラシ部１９を形成する場合には、まず、２つの基布１８（１８Ａ，１８Ｂ）を互いの表面が対向するように配置する。このときの基布１８Ａと基布１８Ｂとの間の距離に応じて、ブラシ部１９を構成するブラシ糸２６の長さが変化する。続いて、第２方向Ｙに交互に並ぶパイル糸２９（２９Ａ，２９Ｂ）を、基布１８Ａ，１８Ｂのヨコ糸２５に対して交互に掛け渡すように織り込む。図６において、ヨコ糸２５を矢印で指す数字は、第１方向Ｘにおける並び順を示している。
【００２２】
そして、２つの基布１８Ａ，１８Ｂに掛け渡されたパイル糸２９Ａ，２９Ｂの中央部分を切断する（図６の二点鎖線に沿って切断する）と、パイル糸２９Ａ，２９Ｂを構成する繊維が拡がることでパイルからなるブラシ糸２６（２６Ａ，２６Ｂ）となる。すなわち、ブラシ部１９は、パイル糸２９を２つの基布１８Ａ，１８Ｂの並び順１〜６に示すヨコ糸２５に掛け渡した後にカットすることによって形成されるカットパイルである。これにより、ブラシ部１９が形成された基布１８が２つ同時に形成される。
【００２３】
本実施形態では、ブラシ糸２６を基布１８上に立設させるためにパイル糸２９を２つの基布１８Ａ，１８Ｂに対して交互に織り込む部分と、非ブラシ部２８とするためにパイル糸２９を一方の基布１８にのみ織り込む部分とを第１方向Ｘに交互に配置している。すなわち、非ブラシ部２８は、パイル糸２９を一方の基布１８の並び順７〜１４に示すヨコ糸２５に織り込むことによって形成される。
【００２４】
そして、非ブラシ部２８から延びるパイル糸２９を、さらに２つの基布１８Ａ，１８Ｂの並び順１５〜２０（図示略）のヨコ糸２５に対して交互に織り込むことによって、第１方向Ｘに複数のブラシ部１９が間隔を有して並ぶ態様になる。
【００２５】
基布１８Ａの表面における第１方向Ｘに並ぶ２つのブラシ部１９同士の間に形成される非ブラシ部２８には、一方の基布１８Ａにのみ織り込まれたパイル糸２９Ａの織り目３０Ａ（３０）が露出する。基布１８Ｂの表面における第１方向Ｘに並ぶ２つのブラシ部１９同士の間に形成される非ブラシ部２８には、一方の基布１８Ｂにのみ織り込まれたパイル糸２９Ｂの織り目３０Ｂ（３０）が露出する。
【００２６】
非ブラシ部２８においてパイル糸２９を一方の基布１８のみに織り込むのは、第１方向Ｘに間隔を有して並ぶ複数のブラシ部１９を、第１方向Ｘに連続するパイル糸２９によって効率よく形成するためである。非ブラシ部２８において、例えばパイル糸２９Ａを基布１８Ｂ側に織り込むことで、基布１８Ａにパイル糸２９の織り目３０Ａが出ないようにすることができる。
【００２７】
ブラシ部１９の第１方向Ｘにおける長さは、パイル糸２９を２つの基布１８に対して交互に織り込む部分の長さを長くすることによって長くなる。すなわち、ブラシ部１９の第１方向Ｘにおける長さは、パイル糸２９を２つの基布１８に対して交互に織り込む部分のヨコ糸２５の数を増やすことによって長くなる。
【００２８】
非ブラシ部２８の第１方向Ｘにおける長さは、パイル糸２９を一方の基布１８にのみ織り込む部分の長さを長くすることによって長くなる。すなわち、非ブラシ部２８の第１方向Ｘにおける長さは、パイル糸２９を一方の基布１８にのみ織り込む部分のヨコ糸２５の数を増やすことによって長くなる。
【００２９】
ブラシ部１９の第２方向Ｙにおける長さは、基布１８に織り込むパイル糸２９の数を増やすことによって長くなる。第２方向Ｙにおけるブラシ部１９同士の間隔は、第２方向Ｙにおけるブラシ部１９同士の間の部分を構成するタテ糸２４の本数を増やすことによって広くなる。
【００３０】
次に、クリーナー１１の使用時における回転ブラシ１５の作用について説明する。
さて、クリーナー１１を使用するときには、図１に示すように、まず、ヘッド１３を接触面３１上に載せる。これにより、一対の回転ブラシ１５の各ブラシ部１９が接触面３１に接触した状態となる。この状態で電源スイッチ１７をオンにすると、駆動機構１６が駆動され、一対の回転板１４と共に一対の回転ブラシ１５が接触面３１と直交する方向に延びる軸線を中心に互いに異なる方向（図２の矢印で示す方向）に回転される。
【００３１】
すると、各ブラシ部１９が回転しながら接触面３１上を摺動するので、接触面３１上の毛や塵埃などのごみが一対の回転ブラシ１５の各ブラシ部１９によって掻き取られる。このとき、回転ブラシ１５におけるブラシ部１９同士の間には、非ブラシ部２８が形成されているため、略正方形状の各ブラシ部１９のエッジ（４つの辺の部分）も接触面３１上を摺動する。このため、各ブラシ部１９によって接触面３１が効果的にブラッシングされる。加えて、接触面３１から掻き取られたごみは、ある程度非ブラシ部２８に集められるため、周囲に散乱し難くなる。この結果、接触面３１に対する清掃効果が高くなる。
【００３２】
また、クリーナー１１によって清掃する接触面３１が屋外の床面（例えば、テラス、石畳、プールなど）や土足で歩くような屋内の床面である場合、接触面３１に水を撒きながら接触面３１を回転ブラシ１５によってブラッシングすることがある。この場合には、回転ブラシ１５の非ブラシ部２８が土や泥などを含むごみや水の流れを作るので、回転ブラシ１５がごみや水をはね飛ばすことがない。この結果、接触面３１が円滑且つ効果的に清掃される。
【００３３】
以上詳述した実施形態によれば次のような効果が発揮される。
（１）回転ブラシ１５は、基布１８における一方側の面に複数のブラシ部１９が互いに間隔を置いて配置されている。この構成によれば、ブラシ部１９同士の間に隙間が形成されるので、ブラシ部１９のエッジが多数形成される。このため、接触面３１に対するブラッシング性能を向上することができる。また、ブラシ部１９同士の間に隙間が形成されることで、従来の特許文献１に記載されたような円板の一方側の面全体にブラシ毛が隈無く植設された構成のブラシに比べて、接触面３１に対する摺動抵抗を低減できる。
【００３４】
（２）回転ブラシ１５において、基布１８における一方側の面には、ブラシ部１９が存在しない非ブラシ部２８が格子状に形成されている。この構成によれば、接触面３１に水を撒きながら接触面３１のブラッシングを行った場合に水が非ブラシ部２８に沿って流れるので、ブラシ部１９の水捌けをよくすることができる。
【００３５】
（３）回転ブラシ１５において、ブラシ糸２６は、基布１８に織り込まれて基布１８上に立設されたパイルであり、複数のブラシ部１９は、タテ糸２４の延びる第１方向Ｘ及びヨコ糸２５の延びる第２方向Ｙに間隔を置いて並列されている。この構成によれば、ブラシ糸２６が基布１８上に立設されたパイルであるため、パイルの織り込み方や種類を変更することで、ブラシ部１９の大きさや性状などを容易に変更できる。
【００３６】
（４）回転ブラシ１５において、基布１８におけるブラシ部１９側とは反対側の面には、コーティング層２７が形成されている。この構成によれば、コーティング層２７によって基布１８とブラシ糸２６とが強固に接合されるので、基布１８からブラシ糸２６が抜け落ちることを抑制できる。
【００３７】
（５）回転ブラシ１５は、基布１８におけるブラシ部１９側とは反対側の面と、基布１８における周縁とを覆う補強部２０を備えている。この構成によれば、補強部２０によって基布１８を補強しつつ基布１８が周縁から解れることを抑制できる。
【００３８】
（６）回転ブラシ１５において、ブラシ糸２６は、太さが０．１ｍｍ以上のポリアミド製の糸によって構成されている。この構成によれば、ブラシ糸２６の剛性が高められるので、接触面３１に対するブラッシング性能をより一層向上することができる。
【００３９】
（変更例）
なお、上記実施形態は、次のように変更して具体化することも可能である。
・図７に示すように、回転ブラシ１５において、基布１８上の複数のブラシ部１９をジグザグ（千鳥状）に配置するようにしてもよい。
【００４０】
・ブラシ糸２６の太さは、必ずしも０．１ｍｍ以上である必要はない。
・ブラシ糸２６は、必ずしもポリアミド製である必要はなく、例えばポリエステル製やポリエチレン製であってもよい。
【００４１】
・補強部２０は、省略してもよい。
・コーティング層２７は、省略してもよい。
・基材は、必ずしもタテ糸２４とヨコ糸２５とを織ってなる基布１８である必要はなく、例えば木材、金属、合成樹脂等からなる板材によって構成してもよい。この場合、板材にブラシ糸２６を植毛したり接着したりすることによって、ブラシ部１９が形成される。
【００４２】
・非ブラシ部２８は、必ずしも格子状に形成する必要はない。
・ブラシ部１９を構成する複数のブラシ糸２６には、太さの異なるブラシ糸を含ませてもよいし、長さの異なるブラシ糸を含ませてもよいし、消臭性や抗菌性などを持つ機能性のブラシ糸を含ませてもよい。
【００４３】
・回転ブラシ１５は、クリーナー１１以外の用途、例えば回転式の垢擦り器やマッサージ器などに用いてもよいし、塗料やコーティング材などを塗布する装置に用いてもよい。
【符号の説明】
【００４４】
１５…回転ブラシ、１８，１８Ａ，１８Ｂ…基材の一例としての基布、１９…ブラシ部、２０…補強部、２４…タテ糸、２５…ヨコ糸、２６…ブラシ糸、２７…コーティング層、２８…非ブラシ部、３１…接触面、Ｘ…タテ糸の延びる方向である第１方向、Ｙ…ヨコ糸の延びる方向である第２方向。
【図１】
2019118707.tif 000003
【図２】
2019118707.tif 000004
【図３】
2019118707.tif 000005
【図４】
2019118707.tif 000006
【図５】
2019118707.tif 000007
【図６】
2019118707.tif 000008
【図７】
2019118707.tif 000009